(57)【要約】【課題】  写真店の店頭に設置された注文受け付け装置において、ユーザに販売促進用広告を直接訴えかけることができるようにする。【解決手段】  メディアドライブ１６Ａ〜１６Ｄにセットされたメディアに記録された画像の画素数、画像を取得したデジタルカメラの機種およびメディアの空き容量を含むメディア関連情報を取得する。第２の記憶部２２にはメディア関連情報の種類に応じた複数の販売促進用広告コンテンツが記憶されている。メディア関連情報に応じた販売促進用広告コンテンツを決定し、ユーザが行った注文の処理中に、販売促進用広告コンテンツを表示部１０に表示する。【選択図】          図２
2005242800.tif 000002
【特許請求の範囲】
【請求項１】
各種表示を行う表示手段と、
画像を記憶したメディアから該画像を読み出す画像読み出し手段と、
ユーザによる該画像に関するサービスの注文を含む各種入力を受け付ける入力手段と、
前記注文に関する処理を行う注文処理手段と、
前記画像読み出し手段により画像が読み取られる読み取り対象メディアに記録された画像の画素数、該画像を取得した撮影装置の機種、および前記読み取り対象メディアの空き容量の少なくとも１つを含むメディア関連情報を取得する情報取得手段と、
該メディア関連情報に応じた販売促進用広告コンテンツを前記注文処理手段による注文の処理中に前記表示手段に表示する表示制御手段とを備えたことを特徴とする注文受け付け装置。
【請求項２】
１つの販売促進用広告コンテンツについて、再生時間が異なる複数の前記販売促進用広告コンテンツが用意されてなる場合、
前記注文がなされた画像数を表す情報を取得する画像数取得手段をさらに備え、
前記表示制御手段は、前記画像数取得手段が取得した画像数に応じた再生時間の前記販売促進用広告コンテンツを前記表示手段に表示する手段であることを特徴とする請求項１記載の注文受け付け装置。
【請求項３】
前記表示される販売促進用広告コンテンツが、前記ユーザが注文したサービスとは異なるサービスに関するものである場合、
前記入力手段は、前記異なるサービスの注文を受け付ける手段であり、
前記注文処理手段は、前記入力手段が前記ユーザによる前記異なるサービスの注文を受け付けた場合、該異なるサービスの注文に関する処理を行う手段であることを特徴とする請求項１または２記載の注文受け付け装置。
【請求項４】
前記メディア関連情報に応じた販売促進用広告コンテンツの種類を表す情報をプリント出力するプリント出力手段をさらに備えたことを特徴とする請求項１から３のいずれか１項記載の注文受け付け装置。
【請求項５】
前記メディア関連情報に応じた販売促進用広告コンテンツの種類を表す情報を記述した電子メールを所定の宛先に送信する送信手段をさらに備えたことを特徴とする請求項１から４のいずれか１項記載の注文受け付け装置。
【請求項６】
前記販売促進用広告コンテンツを保管管理するサーバに定期的に接続し、該サーバに最新の販売促進用広告コンテンツが保管されている場合に、該最新の販売促進用広告コンテンツを該サーバから取得するコンテンツ取得手段と、
該取得した販売促進用広告コンテンツを保管するコンテンツ保管手段とをさらに備えたことを特徴とする請求項１から５のいずれか１項記載の注文受け付け装置。
【請求項７】
前記販売促進用広告コンテンツを外部に保管管理されたサーバから取得するコンテンツ取得手段をさらに備えたことを特徴とする請求項１から５のいずれか１項記載の注文受け付け装置。
【請求項８】
ユーザによる画像に関するサービスの注文を受け付け、
前記注文の対象となる画像が読み取られる読み取り対象メディアに記録された画像の画素数、該画像を取得した撮影装置の機種、および前記読み取り対象メディアの空き容量の少なくとも１つを含むメディア関連情報を取得し、
該メディア関連情報に応じた販売促進用広告コンテンツを、前記注文の処理中に表示することを特徴とする注文受け付け方法。
【請求項９】
ユーザによる画像に関するサービスの注文を受け付ける手順と、
前記注文の対象となる画像が読み取られる読み取り対象メディアに記録された画像の画素数、該画像を取得した撮影装置の機種、および前記読み取り対象メディアの空き容量の少なくとも１つを含むメディア関連情報を取得する手順と、
該メディア関連情報に応じた販売促進用広告コンテンツを、前記注文の処理中に表示する手順とを有することを特徴とする注文受け付け方法をコンピュータに実行させるためのプログラム。
【発明の詳細な説明】
【技術分野】
【０００１】
本発明は、写真店の店頭等に設置される、メディアに記録された画像に関する各種サービスの注文を受け付ける注文受け付け装置および方法並びに注文受け付け方法をコンピュータに実行させるためのプログラムに関するものである。
【背景技術】
【０００２】
ユーザがデジタルカメラを用いて撮影することにより取得した画像を画像サーバに蓄積したり、ＣＤ−Ｒに記録してユーザに提供したり、プリント出力する等、写真に関する種々のデジタルフォトサービスを行うデジタルフォトサービスシステムが知られている。
【０００３】
このようなデジタルフォトサービスシステムにおいて、写真店の店頭にサービスの注文を行う注文受け付け装置を設置し、この注文受け付け装置により注文を受け付けるようにしたシステムが提案されている。このようなシステムにおいては、撮影により取得した画像が記録されたメディアをユーザが注文受け付け装置にセットすると、注文受け付け装置がメディアから画像を読み出すとともに、所望するサービスの内容、プリント注文の場合にはプリント枚数、プリントサイズ等の注文内容のユーザによる指示を受け付けて注文内容を表す注文情報を生成し、これを画像とともに写真店に送信する。写真店は、注文内容に応じたサービスをユーザに提供する。例えば、ユーザが注文したサービスが画像のＣＤ−Ｒへの書き込みであれば画像をＣＤ−Ｒに書き込み、プリント出力であれば画像をプリント出力し、このようにして得たＣＤ−Ｒやプリント等の画像生成物をユーザに渡す。
【０００４】
また、このような注文受け付け装置において注文を受け付けた際に、写真店の営業情報や広告をメディアの空き領域に記録することによりユーザに営業情報や広告を見せるようにする手法が提案されている（特許文献１参照）。また、注文受け付け装置の表示画面に時間帯毎にその時間帯に多く来店すると予想される客層に応じた広告を表示するシステム（特許文献２参照）、およびユーザの過去の注文履歴から推定した広告を表示するシステムも提案されている（特許文献３参照）。
【０００５】
さらに画像に関するものではないが、ユーザの注文履歴とユーザの情報を保管するデータベースとを参照して、商品の購入申し込み画面に注文履歴の商品を表示したり、ユーザの注文履歴に基づいてバーチャル店員を購入申し込み画面に表示するシステムも提案されている（特許文献４，５参照）。
【０００６】
これらのシステムによれば、利用するユーザに適した広告や商品等をユーザに見せたり、営業活動を行うことができるため、広告をサービスや商品の販売促進につなげることができる。
【特許文献１】特開２００１−２８２９１８号公報
【特許文献２】特開２００１−２９７２２９号公報
【特許文献３】特開２００１−３４４５１２号公報
【特許文献４】特開２００２−１０９３２１号公報
【特許文献５】特開２００２−２３０１３２号公報
【発明の開示】
【発明が解決しようとする課題】
【０００７】
しかしながら、上記特許文献１のシステムにおいては、メディアに記録された広告を表示する作業を行わなければ広告を表示することができないため、ユーザが広告を見ない場合がある。また、上記特許文献２，３のシステムにおいては、ユーザが必ずしも注文受け付け装置を注視しているわけではないので、広告の表示が広告した商品やサービスの販売促進に即時につながるわけではない。これに対して特許文献４，５のシステムにおいては、注文時に商品が表示されるため、販売を促進することができるが、いずれもインターネットを経由したユーザ自身のパソコン等に広告や商品が表示されるものであるため、広告が即写真店の売り上げ増に直結するのかわかりにくい。
【０００８】
本発明は、上記事情に鑑みなされたものであり、ユーザに販売促進用広告を直接訴えかけることができるようにすることを目的とする。
【課題を解決するための手段】
【０００９】
本発明による注文受け付け装置は、各種表示を行う表示手段と、
画像を記憶したメディアから該画像を読み出す画像読み出し手段と、
ユーザによる該画像に関するサービスの注文を含む各種入力を受け付ける入力手段と、
前記注文に関する処理を行う注文処理手段と、
前記画像読み出し手段により画像が読み取られる読み取り対象メディアに記録された画像の画素数、該画像を取得した撮影装置の機種、および前記読み取り対象メディアの空き容量の少なくとも１つを含むメディア関連情報を取得する情報取得手段と、
該メディア関連情報に応じた販売促進用広告コンテンツを前記注文処理手段による注文の処理中に前記表示手段に表示する表示制御手段とを備えたことを特徴とするものである。
【００１０】
「画像に関するサービス」としては、画像のＣＤ−Ｒへの書き込み、プリント出力、画像サーバへの保管、画像のマグカップやＴシャツへのプリント等、画像に関してユーザに提供することが可能な各種サービスを意味する。
【００１１】
「注文に関する処理」とは、画像のＣＤ−Ｒへの書き込みやプリント出力を行う処理のみならず、これらの処理を写真店において行うためにメディアから画像を読み出し、読み出した画像を写真店に送信する処理をも含む。
【００１２】
なお、本発明による注文受け付け装置においては、１つの販売促進用広告コンテンツについて、再生時間が異なる複数の前記販売促進用広告コンテンツが用意されてなる場合、
前記注文がなされた画像数を表す情報を取得する画像数取得手段をさらに備えるものとし、
前記表示制御手段を、前記画像数取得手段が取得した画像数に応じた再生時間の前記販売促進用広告コンテンツを前記表示手段に表示する手段としてもよい。
【００１３】
また、本発明による注文受け付け装置においては、前記表示される販売促進用広告コンテンツが、前記ユーザが注文したサービスとは異なるサービスに関するものである場合、
前記入力手段を、前記異なるサービスの注文を受け付ける手段とし、
前記注文処理手段を、前記入力手段が前記ユーザによる前記異なるサービスの注文を受け付けた場合、該異なるサービスの注文に関する処理を行う手段としてもよい。
【００１４】
また、本発明による注文受け付け装置においては、前記メディア関連情報に応じた販売促進用広告コンテンツの種類を表す情報をプリント出力するプリント出力手段をさらに備えるようにしてもよい。
【００１５】
また、本発明による注文受け付け装置においては、前記メディア関連情報に応じた販売促進用広告コンテンツの種類を表す情報を記述した電子メールを所定の宛先に送信する送信手段をさらに備えるようにしてもよい。
【００１６】
また、本発明による注文受け付け装置においては、前記販売促進用広告コンテンツを保管管理するサーバに定期的に接続し、該サーバに最新の販売促進用広告コンテンツが保管されている場合に、該最新の販売促進用広告コンテンツを該サーバから取得するコンテンツ取得手段と、
該取得した販売促進用広告コンテンツを保管するコンテンツ保管手段とをさらに備えるようにしてもよい。
【００１７】
また、本発明による注文受け付け装置においては、前記販売促進用広告コンテンツを外部に保管管理されたサーバから取得するコンテンツ取得手段をさらに備えるようにしてもよい。
【００１８】
本発明による注文受け付け方法は、ユーザによる画像に関するサービスの注文を受け付け、
前記注文の対象となる画像が読み取られる読み取り対象メディアに記録された画像の画素数、該画像を取得した撮影装置の機種、および前記読み取り対象メディアの空き容量の少なくとも１つを含むメディア関連情報を取得し、
該メディア関連情報に応じた販売促進用広告コンテンツを、前記注文の処理中に表示することを特徴とするものである。
【００１９】
なお、本発明による注文受け付け方法をコンピュータに実行させるためのプログラムとして提供してもよい。
【発明の効果】
【００２０】
本発明によれば、読み取り対象メディアに記録された画像の画素数、画像を取得した撮影装置の機種および読み取り対象メディアの空き容量の少なくとも１つを含むメディア関連情報が取得され、メディア関連情報に応じた販売促進用広告コンテンツが注文処理中に表示手段に表示される。このため、本発明による注文装置を用いて注文を行うユーザに対して、直接ユーザが利用しているメディア関連情報に応じた販売促進用広告を見せることができる。したがって、販売促進用広告をユーザに直接訴えることができ、これにより、販売促進用広告を広告した商品やサービスの販売促進に即時につなげることができる。
【００２１】
また、１つの販売促進用広告コンテンツについて、再生時間が異なる複数の販売促進用広告コンテンツが用意されている場合において、注文した画像数を表す情報を取得し、画像数に応じた再生時間の販売促進用広告コンテンツを表示することにより、メディアから画像を読み出す時間に応じた長さの販売促進用広告コンテンツを表示することができる。このため、とくに注文した画像数が多い場合には、再生時間が長い販売促進用広告コンテンツを表示することにより、同じ販売促進用広告コンテンツを繰り返し再生することがなくなり、その結果、ユーザに飽きさせることなく販売促進用広告を表示することができる。
【００２２】
また、表示される販売促進用広告コンテンツが、ユーザが注文したサービスとは異なるサービスに関するものである場合において、異なるサービスの注文を受け付け、この異なるサービスの注文に関する処理を行うことにより、販売促進用広告を異なるサービスの販売に直結させることができる。
【００２３】
また、メディア関連情報に応じた販売促進用広告コンテンツの種類を表す情報をプリント出力することにより、プリントを見た者に対して注文を行っているユーザに表示した販売促進用広告コンテンツを知らせることができる。したがって、写真店において販売促進用広告コンテンツの種類を表す情報のプリントと引き替えに、注文により生成した画像生成物を引き渡すようにすることにより、写真店の店員にユーザに表示された販売促進用広告コンテンツを知らせることができ、これにより、写真店の店員は販売促進用広告コンテンツの種類に応じた営業活動をユーザに行うことができる。
【００２４】
また、メディア関連情報に応じた販売促進用広告コンテンツの種類を表す情報を記述した電子メールを所定の宛先に送信することにより、電子メールを見た者に対して注文を行ったユーザに表示した販売促進用広告コンテンツを知らせることができる。したがって、所定のアドレスを例えば写真店の店員の携帯電話やパソコンのメールアドレスとすることにより、写真店の店員にユーザに表示した販売促進用広告コンテンツを電子メールにより知らせることができる。その結果、写真店において注文により生成した画像生成物を引き渡すようにすることにより、写真店の店員は販売促進用広告コンテンツの種類に応じた営業活動をユーザに行うことができる。
【００２５】
また、販売促進用広告コンテンツを保管管理するサーバに定期的に接続して最新の販売促進用広告コンテンツを取得してこれを保管することにより、常に最新の販売促進用広告コンテンツを表示することができる。
【００２６】
また、販売促進用広告コンテンツをサーバから取得することにより、注文受け付け装置に販売促進用広告コンテンツを保管する必要がなくなるため、注文受け付け装置を安価に構成することができる。
【発明を実施するための最良の形態】
【００２７】
以下、図面を参照して本発明の実施形態について説明する。図１は本発明の実施形態による注文受け付け装置を備えたフォトサービスシステムの構成を示す概略ブロック図である。図１に示すように、本実施形態によるフォトサービスシステムは、写真店の店頭に設置された３台の注文受け付け装置１と、写真店に設置された画像に関する注文の処理を行う画像出力装置２と、販売促進用広告コンテンツを保管管理するサーバ３とがネットワーク４を介して接続されることにより構成される。
【００２８】
図２は注文受け付け装置１の構成を示す概略ブロック図である。図２に示すように、注文受け付け装置１は、各種表示を行う液晶モニタ等からなる表示部１０と、写真店が提供するサービスについてのユーザによる注文の指示等の各種入力を受け付ける入力部１２と、ネットワーク４に接続して通信を行う通信部１４と、本実施形態による注文受け付け装置１が使用可能なメディアの種類に応じた複数（ここでは４つ）のメディアドライブ１６Ａ〜１６Ｄと、メディアドライブ１６Ａ〜１６ＤのインターフェースとなるＩ／Ｏ１８と、注文受け付け装置１を駆動するための各種プログラムを記憶したＲＯＭおよび各種処理を行う際の作業領域となるＲＡＭからなる第１の記憶部２０と、後述するように販売促進用広告コンテンツを記憶する書き換え可能なメモリからなる第２の記憶部２２と、各種プログラムを実行することにより注文受け付け装置１の駆動を制御するＣＰＵ２４と、ユーザの注文内容や後述するメディア関連情報をプリント出力するためのレシートプリンタ２６とがバス２８により接続されて構成される。
【００２９】
入力部１２は、キーボードや入力ボタン等からなるものであってもよく、表示部１０と連動したタッチパネルであってもよい。
【００３０】
通信部１４は、ネットワーク４に接続するネットワークインターフェースからなる。通信部１４はＣＰＵ２４からの指示により、ユーザが入力部１２を用いて注文したサービスについての注文内容を表す注文情報およびメディアから読み出した画像を写真店２の画像出力装置に送信する。また、通信部１４はＣＰＵ４２からの指示により、定期的（例えば１月に１回、あるいは装置１が起動される毎等）にサーバ３にアクセスして、最新の販売促進用広告コンテンツがサーバ３に保管されている場合に、サーバ３から最新の販売促進用広告コンテンツをダウンロードする。なお、ＣＰＵ４２は、ダウンロードした最新の販売促進用広告コンテンツを第２の記憶部２２に記憶されている販売促進用広告コンテンツに上書きする。
【００３１】
メディアドライブ１６Ａ〜１６Ｄは、例えば、スマートメディア（登録商標）、ＸＤカード（登録商標）、メモリスティック（登録商標）、およびＣＤ−Ｒ等、注文受け付け装置１が使用可能なメディアの種類に応じて用意されてなる。
【００３２】
また、メディアドライブ１６Ａ〜１６Ｄにメディアがセットされると、ＣＰＵ４２は、セットされたメディアに記録されている画像の画素数、画像を取得したデジタルカメラの機種およびメディアの空き容量を表すメディア関連情報を取得する。なお、画像の画素数および画像を取得したデジタルカメラの機種は画像のタグに記述されてなるため、タグを参照することにより画像の画素数およびデジタルカメラの機種を表す情報を得ることができる。
【００３３】
また、ＣＰＵ２４は注文を受け付けるためのプログラムを起動し、ユーザによる注文を受け付けるための注文画面を表示部１０に表示する。
【００３４】
また、ＣＰＵ２４は、注文内容を確定させる旨をユーザが入力部１２から入力すると、注文内容を表す注文情報を生成し、注文により指定された画像をメディアから読み出し、読み出した画像および注文情報を通信部１４を介して写真店の画像出力装置２に送信することにより注文処理を行う。ここで、注文情報には、注文を行った画像のファイル名、注文したサービスの内容（例えばＣＤ−Ｒへの書き込み、プリント出力等）、プリント出力の場合はプリント枚数、プリントサイズ等が含まれる。ＣＰＵ２４は注文情報に基づいて、注文された画像数を表す画像数情報を取得する。取得された画像数情報は後述する販売促進用広告コンテンツを決定する際に用いられる。
【００３５】
ＣＰＵ２４は、メディア関連情報に基づいて、注文に関する処理を行っている最中に表示部１０に表示する販売促進用広告コンテンツを決定する。なお、決定の処理については後述する。
【００３６】
図３は本実施形態において第２の記憶部２２に記憶されている販売促進用広告コンテンツの例を示す図である。図３に示すように、本実施形態においては、メディアに記録されている画像をＣＤ−Ｒにバックアップするサービスを勧める広告を行う販売促進用広告コンテンツＣ１、２Ｌサイズ以上の大伸ばしプリントを勧める広告を行う販売促進用広告コンテンツＣ２、１つの画像について複数のサムネイル画像をシールにしたシールプリントを勧める広告を行う販売促進用広告コンテンツＣ３、デジタルカメラの新機種を勧める広告を行う販売促進用広告コンテンツＣ４、および写真店を宣伝する広告を行う販売促進用広告コンテンツＣ５が記憶されている。
【００３７】
また、各販売促進用広告コンテンツＣ１〜Ｃ４は、それぞれ同一の広告内容について再生時間が異なる３種類の動画ファイル（c1-1.avi,c1-2.avi,c1-3.avi等）からなり、ルートディレクトリの下位に位置する対応するフォルダ名（Ｃ１等）を有するフォルダに各動画ファイルが保存されている。なお、動画ファイルは、例えばそれぞれ１５秒、３０秒および６０秒の長さを有するものとする。
【００３８】
ＣＰＵ２４は通信部１４を介して定期的（１月に１回、あるいは装置１が起動される毎）にサーバ３にアクセスする。そして、最新の販売促進用広告コンテンツＣ１〜Ｃ５がサーバ３に保管されている場合に、最新の販売促進用広告コンテンツＣ１〜Ｃ５をダウンロードし、第２の記憶部２２に記憶されている販売促進用広告コンテンツＣ１〜Ｃ５を更新する。
【００３９】
また、ＣＰＵ２４は注文処理が完了すると、注文番号および後述するようにユーザに表示した販売促進用広告コンテンツの種類を表す情報をレシートプリンタ２６からプリント出力してレシートを発行する。図４はレシートのプリントの例を示す図である。図４に示す例においては、注文番号００１２３４およびコンテンツの種類を表す情報としてＣ１がプリントされている。
【００４０】
ユーザはレシートを持って写真店に出向き、写真店の店員にレシートを提示することにより、注文したＣＤ−Ｒ、プリント等の画像生成物を受け取ることができる。
【００４１】
画像出力装置２は、ネットワークに接続する通信部、画像をプリント出力するプリント部、画像をＣＤ−Ｒに記録する記録部等を備え、ユーザが注文受け付け装置１から行った注文を処理することにより、プリントおよび画像が記録されたＣＤ−Ｒ等の画像生成物を生成する。
【００４２】
サーバ３は、販売促進用広告コンテンツを保管管理する。なお、サーバ３には常に最新の販売促進用広告コンテンツが保管されている。ここで、サーバ３は写真店に設置されていてもよく、写真店がチェーン店の加盟店である場合には、チェーン店の本部に設置されていてもよい。また、注文受け付け装置１および画像出力装置２を製造するメーカーの保守センターに設置されていてもよい。なお、サーバ３が写真店に設置されている場合には、サーバ３と注文受け付け装置１とは店内ＬＡＮにより接続される。一方、サーバ３がチェーン店の本部またはメーカーの保守センターに設置されている場合には、注文受け付け装置１とサーバ３とはＬＡＮ、ＷＡＮあるいは公衆回線により接続される。
【００４３】
次いで、本実施形態において行われる処理について説明する。図５は本実施形態において販売促進用広告コンテンツを決定する際に行われる処理を示すフローチャートである。ユーザが注文受け付け装置１のメディアドライブ１６Ａ〜１６Ｄのいずれかにメディアをセットして、注文を行う旨の入力を入力部１２から行うことにより処理が開始され、まずＣＰＵ２４はメディアドライブ１６Ａ〜１６Ｄのいずれかにセットされたメディアに記録された画像の画素数、画像を取得したデジタルカメラの機種およびメディアの空き容量を含むメディア関連情報を取得する（ステップＳ１）。
【００４４】
次いでＣＰＵ２４は、メディア関連情報に含まれるメディアの空き容量の割合がメディアの総容量に対してしきい値Ｔｈ１以下であるか否か判定する（第１の判定、ステップＳ２）。なお、しきい値Ｔｈ１としては例えば２０％を用いることができるが、任意の値に設定することが可能である。
【００４５】
ここで、第１の判定が肯定されるということは、メディアの空き容量が少なくなってきているということであり、このような場合に、メディアに記録された画像のバックアップをユーザに勧めれば、ユーザがバックアップを利用する可能性が高い。このため、ＣＰＵ２４は第１の判定が肯定されると、表示する販売促進用広告コンテンツを販売促進用広告コンテンツＣ１に決定する（ステップＳ３）。
【００４６】
第１の判定が否定されると、メディア関連情報に含まれる画像の画素数がしきい値Ｔｈ２以上であるか否かを判定する（第２の判定、ステップＳ４）。なお、しきい値Ｔｈ２としては例えば３００万画素を用いることができるが、任意の値に設定することが可能である。
【００４７】
ここで、第２の判定が肯定されるということは、画像を大伸ばしプリントにしても画質の劣化が少ないということであり、このような場合に、ユーザに大伸ばしプリントを勧めれば、ユーザが大伸ばしプリントを利用する可能性が高い。このため、ＣＰＵ２４は第２の判定が肯定されると、表示する販売促進用広告コンテンツを販売促進用広告コンテンツＣ２に決定する（ステップＳ５）。
【００４８】
第２の判定が否定されると、メディア関連情報に含まれる画像の画素数がしきい値Ｔｈ３以下であるか否かを判定する（第３の判定、ステップＳ６）。なお、しきい値Ｔｈ３としては例えば１０万画素を用いることができるが、任意の値に設定することが可能である。
【００４９】
ここで、第３の判定が肯定されるということは、画像をＬサイズ等でプリントしてもそれほどよい画質が得られないということであり、このような場合に、ユーザにシールプリントを勧めれば、ユーザがシールプリントを利用する可能性が高い。このため、ＣＰＵ２４は第３の判定が肯定されると、表示する販売促進用広告コンテンツを販売促進用広告コンテンツＣ３に決定する（ステップＳ７）。
【００５０】
第３の判定が否定されると、メディア関連情報に含まれるデジタルカメラの機種の情報に基づいて、ユーザが使用しているデジタルカメラの形式よりも新しい形式のデジタルカメラが存在するか否かを判定する（第４の判定、ステップＳ８）。
【００５１】
ここで、第４の判定が肯定されるということは、ユーザは古い形式のデジタルカメラを使用しているということであり、このような場合に、ユーザに新しい形式のデジタルカメラを勧めれば、ユーザがデジタルカメラを購入する可能性が高い。このため、ＣＰＵ２４は第４の判定が肯定されると、表示する販売促進用広告コンテンツを販売促進用広告コンテンツＣ４に決定する（ステップＳ９）。
【００５２】
第４の判定が否定されると、ＣＰＵ２４は表示する販売促進用広告コンテンツを販売促進用広告コンテンツＣ５に決定し（ステップＳ１０）、処理を終了する。
【００５３】
ユーザは、表示部１０に表示される注文画面の案内により、メディアに記録された画像についてのサービスの注文を行う。なお、ここでは画像のプリント注文を行うものとする。ユーザは、注文が完了すると、入力部１２から注文確定の旨の入力を行う。図６は注文確定後に行われる処理を示すフローチャートである。ユーザが注文確定の旨の入力を行うことにより処理が開始され、ＣＰＵ２４は注文内容を表す注文情報を生成する（ステップＳ２１）。そして、注文内容に基づいて注文された画像数を表す画像数情報を取得する（ステップＳ２２）。
【００５４】
次いで、画像数情報により表される画像数が１０以下であるか否かを判定し（ステップＳ２３）、ステップＳ２３が肯定されると、決定した販売促進用広告コンテンツにおいて最も再生時間が短い動画ファイルを選択する（ステップＳ２４）。ステップＳ２３が否定されると、画像数情報により表される画像数が３０以下であるか否かを判定し（ステップＳ２５）、ステップＳ２５が肯定されると、決定した販売促進用広告コンテンツにおいて２番目に再生時間が短い動画ファイルを選択する（ステップＳ２６）。ステップＳ２５が否定されると、決定した販売促進用広告コンテンツにおいて最も再生時間が長い動画ファイルを選択する（ステップＳ２７）。
【００５５】
そして、ＣＰＵ２４は注文処理を開始する（ステップＳ２８）。また、注文処理の開始と同時に、選択した動画ファイルを再生することにより販売促進用広告コンテンツを表示部１０に表示する（ステップＳ２９）。
【００５６】
図７は表示部１０に表示される販売促進用広告コンテンツの例を示す図である。なお、ここではバックアップを勧める販売促進用広告コンテンツＣ１が表示されている状態を示す。ここで、図７に示すように表示中の販売促進用広告コンテンツＣ１には、バックアップボタンＢ１が表示されている。ＣＰＵ２４は販売促進用広告コンテンツＣ１の表示中にユーザによりバックアップボタンＢ１がクリックされたか否かを判定し（ステップＳ３０）、ステップＳ３０が肯定されると、バックアップ処理を行う（ステップＳ３１）。具体的には、メディアに記録された画像をすべて読み出し、読み出した画像をＣＤ−Ｒに記録すべき旨の情報とともに、写真店の画像出力装置２に送信する処理を行う。なお、ステップＳ３１の後、ステップＳ２９へ戻る。
【００５７】
ステップＳ３０が否定されると、注文処理が完了したか否かを判定し（ステップＳ３２）、ステップＳ３２が否定されると引き続き販売促進用広告コンテンツを表示すべくステップＳ２９へ戻る。ステップＳ３２が肯定されると、注文番号および表示した販売促進用広告コンテンツの種類を表す情報をレシートプリンタ２６からプリント出力し（ステップＳ３３）、処理を終了する。
【００５８】
ユーザは写真店の店員にレシートを提示することにより、プリントを受け取ることができる。
【００５９】
このように、本実施形態においては、メディアに記録された画像の画素数、画像を取得したデジタルカメラの機種およびメディアの空き容量を含むメディア関連情報を取得し、メディア関連情報に応じた販売促進用広告コンテンツを注文処理中に注文受け付け装置１の表示部１０に表示するようにしたため、注文を行うユーザに対して、直接メディア関連情報に応じた販売促進用広告を見せることができる。したがって、広告をユーザに直接訴えることができ、これにより、販売促進用広告を広告した商品やサービスの販売促進に即時につなげることができる。
【００６０】
また、１つの販売促進用広告コンテンツについて再生時間が異なる複数の動画ファイルを用意し、注文した画像数に応じた再生時間の動画ファイルを再生しているため、メディアから画像を読み出す時間に応じた長さの販売促進用広告コンテンツを表示部１０に表示することができる。このため、とくに注文した画像数が多い場合には、再生時間が長い動画ファイルを選択することにより、同じ販売促進用広告コンテンツを繰り返し再生することがなくなり、その結果、ユーザに飽きさせることなく販売促進用広告を表示することができる。
【００６１】
また、上述したように画像のプリント注文を行った場合において、画像のＣＤ−Ｒへのバックアップを勧める販売促進用広告コンテンツの表示中に、販売促進用広告コンテンツの表示画面からバックアップの注文を受け付け、このバックアップの処理を行うことにより、販売促進用広告をサービスの販売に直結させることができる。
【００６２】
また、販売促進用広告コンテンツの種類を表す情報をレシートとしてプリント出力しているため、写真店の店員に対してユーザに表示した販売促進用広告コンテンツを知らせることができる。したがって、写真店においてレシートと引き替えに、注文により生成した画像生成物を引き渡すようにすることにより、写真店の店員にユーザに表示された販売促進用広告コンテンツを知らせることができ、これにより、写真店の店員は販売促進用広告コンテンツの種類に応じた営業活動をユーザに行うことができる。
【００６３】
なお、上記実施形態においては、メディア関連情報として、セットされたメディアに記録されている画像の画素数、画像を取得したデジタルカメラの機種およびメディアの空き容量を取得しているが、これらの少なくとも１つをメディア関連情報として取得すればよい。また、メディアがセットされるメディアドライブ１６Ａ〜１６Ｄの種類によりユーザが使用しているメディアの種類が分かるため、ユーザが利用しているメディアの種類に応じた販売促進用広告コンテンツを表示することも可能である。
【００６４】
また、上記実施形態においては、第１から第４の判定をこの順序で行っているが、写真店が販売に力を入れているサービスについての販売促進用広告コンテンツが優先的に選択されるように第１から第４の判定の順序を変更してもよい。例えば、写真店が大伸ばしプリント販売に力を入れている場合には、第２の判定を最初に行うようにすればよい。
【００６５】
また、上記実施形態においては販売促進用広告コンテンツの種類を表す情報をレシートプリンタ２６からレシートにプリント出力して、ユーザに表示した販売促進用広告コンテンツを写真店の店員に知らせることができるようにしているが、販売促進用広告コンテンツの種類をレシートにプリント出力するのに代えて、またはこれに加えて、注文番号およびユーザに表示した販売促進用広告コンテンツの種類を記述した電子メールを、図８に示すように通信部１４から写真店の店員のパソコン５や携帯電話６に送信するようにしてもよい。この場合、レシートには注文番号のみをプリント出力すればよい。
【００６６】
この場合、写真店の店員は電子メールに記述された注文番号と、ユーザのレシートにプリント出力された注文番号とを照合することにより、ユーザに表示された販売促進用広告コンテンツの種類を知ることができる。したがって、写真店の店員は電子メールに記述された販売促進用広告コンテンツの種類に応じた営業活動をユーザに行うことができる。
【００６７】
また、上記実施形態においては、通信部１４から定期的にサーバ３にアクセスして最新の販売促進用広告コンテンツをダウンロードしているが、サーバ３に最新の販売促進用広告コンテンツが保管される毎に、サーバ３から注文受け付け装置１に最新の販売促進用広告コンテンツを送信するようにしてもよい。
【００６８】
また、上記実施形態においては、第２の記憶部２２に販売促進用広告コンテンツを保管しているが、ユーザが注文を行う毎に、通信部１４からサーバ３にアクセスして、決定された販売促進用広告コンテンツをダウンロードして表示するようにしてもよい。これにより、注文受け付け装置１に第２の記憶部２２を設ける必要がなくなるため、注文受け付け装置１の構成を簡易なものとすることができる。
【図面の簡単な説明】
【００６９】
【図１】本発明の実施形態による注文受け付け装置を備えたフォトサービスシステムの構成を示す概略ブロック図
【図２】注文受け付け装置の構成を示す概略ブロック図
【図３】本実施形態において第２の記憶部に記憶されている販売促進用広告コンテンツの例を示す図
【図４】レシートのプリントの例を示す図
【図５】本実施形態において販売促進用広告コンテンツを決定する際に行われる処理を示すフローチャート
【図６】注文確定後に行われる処理を示すフローチャート
【図７】表示部に表示される販売促進用広告コンテンツの例を示す図
【図８】本発明の実施形態による注文受け付け装置を備えたフォトサービスシステムの他の構成を示す概略ブロック図
【符号の説明】
【００７０】
１    注文受け付け装置
２    画像出力装置
３    サーバ
４    ネットワーク
５    パソコン
６    携帯電話
１０  表示部
１２  入力部
１４  通信部
１６Ａ〜１６Ｄ  メディアドライブ
１８  Ｉ／Ｏ
２０  第１の記憶部
２２  第２の記憶部
２４  ＣＰＵ
２６  レシートプリンタ
２８  バス
【図１】
2005242800.tif 000003
【図２】
2005242800.tif 000004
【図３】
2005242800.tif 000005
【図４】
2005242800.tif 000006
【図５】
2005242800.tif 000007
【図６】
2005242800.tif 000008
【図７】
2005242800.tif 000009
【図８】
2005242800.tif 000010